(57)【要約】粘性のあるシュウ酸エステル組成物から選択される少なくとも一つの第一の反応物と、液体活性化剤から選択される少なくとも一つの第二の反応物とを含む、化学発光する、複数の部分がある印付けシステム。液体シュウ酸エステル組成物から選択される少なくとも一つの第一の反応物と、粘性のある活性化剤組成物から選択される少なくとも一つの第二の反応物とを含む、化学発光する、複数の部分がある印付けシステム。少なくとも一つの第一の化学発光反応物を含む少なくとも一つの第一の収容部分、少なくとも一つの第二の化学発光反応物を含む少なくとも一つの第二の収容部分、該少なくとも一つの第一の収容部分と該少なくとも一つの第二の収容部分とを隔離する少なくとも一つの障壁と、活性化の際に該少なくとも一つの第一の収容部分と該少なくとも一つの第二の収容部分との間の流体連通を可能にする少なくとも一つの活性化メカニズムとを含む、収容デバイス。【特許請求の範囲】
【請求項１】
少なくとも一つの第一の反応物と少なくとも一つの第二の反応物とを含む化学発光する、複数の部分がある印付けシステムであって、
該少なくとも一つの第一の反応物が、粘性のあるシュウ酸塩もしくはエステル組成物から選択され、
該少なくとも一つの第二の反応物が、液体活性化剤から選択される、
化学発光する、複数の部分がある印付けシステム。
【請求項２】
請求項１に記載の化学発光する、複数の部分がある印付けシステムであって、前記粘性のあるシュウ酸塩もしくはエステル組成物が、しゅう酸ビス（２，４，５−トリクロロ−６−カルボペントキシフェニル）；しゅう酸ビス（２，４，５−トリクロロフェニル）；しゅう酸ビス（２，４，５−トリブロモ−６−カルボヘキソキシフェニル）；しゅう酸ビス（２，４，５−トリクロロ−６−カルボイソペントキシフェニル）；およびしゅう酸ビス（２，４，５−トリクロロ−６−カルボベンゾキシフェニル）から選択される少なくとも一つのシュウ酸塩もしくはエステルと、低密度ポリエチレンワックスから選択される少なくとも一つの粘性改質剤とを含む、化学発光する、複数の部分がある印付けシステム。
【請求項３】
請求項２に記載の化学発光する、複数の部分がある印付けシステムであって、前記粘性のあるシュウ酸塩もしくはエステル組成物が、１００，０００センチポアズから１，５００，０００センチポアズの範囲にある粘度を有する、化学発光する、複数の部分がある印付けシステム。
【請求項４】
請求項２に記載の化学発光する、複数の部分がある印付けシステムであって、前記少なくとも一つのシュウ酸塩もしくはエステルの前記少なくなくとも一つの粘性改質剤に対する比率が、１：４から４：１の範囲にある、化学発光する、複数の部分がある印付けシステム。
【請求項５】
請求項１に記載の化学発光する、複数の部分がある印付けシステムであって、前記少なくとも一つの活性化剤が、過酸化水素から選択される、化学発光する、複数の部分がある印付けシステム。
【請求項６】
少なくとも一つの第一の反応物と少なくとも一つの第二の反応物とを含む化学発光する、複数の部分がある印付けシステムであって、
該少なくとも一つの第一の反応物が、液体シュウ酸塩もしくはエステル組成物から選択され、そして
該少なくとも一つの第二の反応物が、粘性のある活性化剤組成物から選択される、
化学発光する、複数の部分がある印付けシステム。
【請求項７】
請求項６に記載の化学発光する、複数の部分がある印付けシステムであって、前記粘性のある活性化剤組成物が、過酸化水素と、焼成シリカから選択された少なくとも一つの粘性改質剤とを含む、化学発光する、複数の部分がある印付けシステム。
【請求項８】
請求項６に記載の化学発光する、複数の部分がある印付けシステムであって、前記シュウ酸塩もしくはエステルが、しゅう酸ビス（２，４，５−トリクロロ−６−カルボペントキシフェニル）；しゅう酸ビス（２，４，５−トリクロロフェニル）；しゅう酸ビス（２，４，５−トリブロモ−６−カルボヘキソキシフェニル）；しゅう酸ビス（２，４，５−トリクロロ−６−カルボイソペントキシフェニル）；およびしゅう酸ビス（２，４，５−トリクロロ−６−カルボベンゾキシフェニル）から選択される、化学発光する、複数の部分がある印付けシステム。
【請求項９】
請求項７に記載の化学発光する、複数の部分がある印付けシステムであって、前記粘性のある活性化剤組成物が、１００，０００センチポアズから１，５００，０００センチポアズの範囲にある粘度を有する、化学発光する、複数の部分がある印付けシステム。
【請求項１０】
収容デバイスであって、以下：
（ａ）少なくとも一つの第一の化学発光反応物を含む少なくとも一つの第一の収容部分、
（ｂ）少なくとも一つの第二の化学発光反応物を含む少なくとも一つの第二の収容部分、
（ｃ）該少なくとも一つの第一の収容部分と該少なくとも一つの第二の収容部分とを隔離する少なくとも一つの障壁、および
（ｄ）活性化の際に、該少なくとも一つの第一の収容部分と該少なくとも一つの第二の収容部分との間の流体連通を可能にする少なくとも一つの活性化メカニズム
を含む、収容デバイス。
【請求項１１】
請求項１０に記載の収容デバイスであって、前記少なくとも一つの活性化メカニズムが、引き離された際に、十分な張力を提供して前記少なくとも一つの第一の収容部と前記少なくとも一つの第二の収容部との間の流体連通を可能にする向かい合う把持部を含む、収容デバイス。
【請求項１２】
請求項１０に記載の収容デバイスであって、前記第一の化学発光反応物が、粘性のあるシュウ酸塩もしくはエステル組成物から選択され、そして前記第二の化学発光反応物が、過酸化水素から選択される、収容デバイス。
【請求項１３】
請求項１２に記載の収容デバイスであって、前記粘性のあるシュウ酸塩もしくはエステル組成物が、低密度ポリエチレンワックスから選択される少なくとも一つのワックスを含む、収容デバイス。
【請求項１４】
請求項１０に記載の収容デバイスであって、前記第一の化学発光反応物が、シュウ酸塩もしくはエステル組成物から選択され、そして前記第二の化学発光反応物が、粘性のある過酸化水素組成物から選択される、収容デバイス。
【請求項１５】
請求項１４に記載の収容デバイスであって、前記粘性のある過酸化水素組成物が、焼成シリカから選択される少なくとも一つの粘性改質剤を含む、収容デバイス。
【発明の詳細な説明】
【技術分野】
【０００１】
本出願は、２０１０年１２月１７日に出願された米国特許仮出願番号第６１／４２４，４４６号と、２０１１年９月１１日に出願された米国特許仮出願番号第６１／５３３，２５８号とに対する優先権を主張し、その両方が、本明細書において参考として援用される。
【０００２】
本開示は、流体、ゲルまたはペーストの形であり得る粘性のある化学発光組成物と、このような粘性のある化学発光組成物のための分配デバイスとに関連する。本開示の粘性のある化学発光組成物は、裸眼および視覚補助デバイスの両方により見られ得て、粘性のある活性化剤成分および／または粘性のあるシュウ酸塩もしくはエステル成分を含む。これらの成分はまた、本開示において述べられる。
【背景技術】
【０００３】
軍事的機関および非軍事的機関は、様々な視覚的印付け（ｍａｒｋｉｎｇ）手段および視覚的信号伝達（ｓｉｇｎａｌｉｎｇ）手段を、それらの訓練、戦術的作戦、および戦場での作戦において使用する。これらの視覚的印付け手段および視覚的信号伝達手段は、一般的に、標識（ｓｉｇｎａｇｅ）と呼称される。この標識は、方向、確認、または警告のような情報を提供するために役に立つ。さらに、標識または他の印付けは、人員、装備、および車両の場所を視覚的に確認するために、使用され得る。昼光環境において、塗料、フェルト先端のマーカー、または他の従来の手段が、標識を創出するために用いられ得る。しかしながら、暗闇において行われ得る作戦に関して、これらの従来の印付け手段は、識別が困難または不可能であり得る。さらに、懐中電灯または他の光源がこれらの標示（ｓｉｇｎ）を見るために用いられる場合、視認者は、自らの場所および／または身元を明らかにし得る。さらに、従来の印付け手段は、メッセージが意図されない者により視認され得る。
【０００４】
暗闇において視認され得る標識創出または印付けの問題を克服する試行が、以前より試みられてきた。自己照明する印が、化学発光の使用により創出され得る。化学発光は、化学反応による光の発生であり、光は、反応の結果として可視、紫外、または赤外スペクトルにおいて放たれ得る。一つのこのような反応の例は、蛍光剤および触媒の存在下でのシュウ酸エステルと過酸化水素との反応を含む。
【０００５】
ケミカルライトスティック（ｃｈｅｍｉｃａｌ  ｌｉｇｈｔ  ｓｔｉｃｋ）が、化学発光を使用する公知である製品の例である。ケミカルライトスティックを切り開き、印を付ける対象物の上に輝く内容物をこぼすこともまた、公知である。しかしながら、この操作は、乱雑かつ非効率的である。さらに、このプロセスでは精密な印を創出することが、困難である。加えて、化学発光ライトスティックは、表面に塗布された際に流れ落ちる傾向がある液体を用い得る。そのうえ、化学発光の輝度が、塗布された化学発光物質の単位面積当たりの体積に比例するために、そして従来の化学発光液が、表面に塗布された際に「平らになる（ｆｌａｔｔｅｎ  ｏｕｔ）」傾向があるために、生じる光出力は低輝度になり得て、印は貧弱な可視性になり得る。
【０００６】
従来の化学発光流体での別の問題は、多孔性の表面の上に印を付けようと試みる際に見られ得る。この場合において、化学発光流体は、基材表面の中に迅速に吸収される。木材、ボール紙、コンクリート、土などでの場合のように、多孔性の基材が不透明な場合、表面下の流体からの光は見えず、結果として低輝度の光出力となる。
【０００７】
低粘性率の化学発光流体を使用して標識を創出することに関連性のある、さらに別の問題は、標識が雨または水にさらされた場合に発生し得る。第一の問題は、低粘性率の化学発光流体が水により移動される際に発生し得て、そのことは、潜在的に印を不鮮明化（ｓｍｅａｒｉｎｇ）させ得る。第二の問題は、低粘性率の化学発光流体が「平らになる」という事実のために発生し得て、そのことは、結果として単位体積当たりの相対的に大きな表面積をもたらし得る。これのため、化学発光流体のうちの大きな割合は、直接的に環境にさらされ得る。水または水蒸気と接触した化学発光流体は、損耗し、減少した光出力を呈する。なおさらに、太陽により生成された化学線などの、化学線にさらされる際、化学発光流体の多くが損耗をこうむるために、化学発光流体の平らになった層は、迅速に劣化し得る。
【０００８】
それゆえ、高度な識別可能性、環境安定性、および使用容易性がある印または他のマークを創出するために使用され得る、化学発光成分の必要性が、存在する。従って、本開示の目的は、広く様々な表面の上に光を放出する印を提供し得る、化学発光成分および組成物を提供することである。この印は、可視光域、紫外光域、赤外光域、およびそれらの組み合わせにおけるものであり得て、そして印は、化学反応の結果である。一つのこのような反応は、少なくとも一つの触媒および少なくとも一つの蛍光剤の存在下での、少なくとも一つの活性化剤による、少なくとも一つのシュウ酸塩もしくはエステルの活性化である。
【０００９】
例えば、ワックス、シリカ、ゴム、デンプン、食用ゲルおよび／またはポリマーのような粘性増強物質が、化学発光物質と混ぜ合わせられる場合に、粘性があり光を放出する流体を生成することが発見されてきていて、その流体は、タグ付け、追跡、および位置決めの目的のために対象物に印を付けるのに非常に有用である。これらの組成物は、様々な基材に迅速に付着し得て、大気曝露に対する耐久性がある。加えて、これらの組成物の粘性およびチキソトロピー的特質は、滴れ落ちたり、または流れ落ちたりせずに、組成物が厚い層にて塗布されることを可能にする。粘性のある組成物の稠度は、濃いシロップ状の液体の稠度から高い粘性率がある練り粉状の物質まで調整され得る。
【発明の概要】
【課題を解決するための手段】
【００１０】
（可視、紫外および／または赤外）光を放出する標識が創出されることを可能にする化学発光物質、組成物、およびシステムを提供することが、本開示の目的である。本開示はまた、複数の部分があるシステムと、このような複数の部分があるシステムのための材料および組成物とを提供し、そのシステムならびに物質および組成物は、活性化の際に光を放出し、そして顕著に改善された、広く様々な表面の上で光を放出する印を創出するための非常に所望される特性を有する。このことは、活性化の際に光を放出し得る化学発光システムを、適切な粘性増強物質と組み合わせて用いることにより、達成され得る。本明細書において使用される「活性化（ａｃｔｉｖａｔｉｏｎ）」は、複数の成分の間で化学的反応が始まったことを意味する。より具体的にいうと、ワックス、シリカ、ゴム、デンプン、食用ゲルおよび／またはポリマーのような、特定の粘性改質剤が、化学発光物質と混ぜ合わされた際に、粘性があり光を放出するこの課題に対し適切な流体を生成するということが、発見された。
【００１１】
本開示の一つの実施形態は、化学発光組成物に向けられ、その組成物は、活性化の際に（可視、紫外および／または赤外）光を放出し、そして光を放出する物質から発生された標識が広く様々な表面の上に表面の向きとは独立に創出されることを可能にする特性を持っている。このことは、活性化の際に光を放出し得る化学発光成分を、適切な粘性増強物質と組み合わせて用いることにより、達成され得る。特定の実施形態において、化学発光組成物のための少なくとも一つの活性化剤が、適切な粘性増強物質と混ぜ合わされる。他の実施形態において、化学発光組成物のための少なくとも一つのシュウ酸塩もしくはエステルが、適切な粘性増強物質と混ぜ合わされる。特定の実施形態において、化学発光組成物のための少なくとも一つの活性化剤と、化学発光組成物のための少なくとも一つのシュウ酸塩もしくはエステルとが、独立して、適切な粘性増強物質と混ぜ合わされる。
【００１２】
これらの全ての実施形態に関して、個々の粘性がある成分、および／または生じた化学発光組成物が、印を付けた表面から容易に取り除かれないことが、所望される。個々の粘性がある成分、および／または生じた化学発光組成物が、雨、雪または他の周囲条件により容易に劣化されないこともまた、所望される。個々の粘性がある成分の別の所望される特徴、および／または生じた化学発光組成物の別の所望される特徴は、組成物が使用される温度範囲にわたり、ゲルが粘性において顕著な変化を受けないことである。例えば、暑い車両の中に放置された通常の印付けデバイスは、６０℃を超過する温度にさらされ得て、その温度は、シュウ酸塩もしくはエステル組成物のような化学発光成分の融解および変形または溶解を引き起こし得る。本開示の粘性改質剤は、広い温度範囲にわたり機能的なままであるように選択される。本開示により提供される、個々の粘性がある成分、および／または生じた化学発光組成物が、上で説明された所望される属性のうちの少なくとも一つを有し得ることが、意図される。
【００１３】
例えば、本開示の一つの局面は、化学発光印付け組成物に向けられ、その化学発光印付け組成物は、少なくとも一つの粘性増強物質、少なくとも一つの第一の反応物、および少なくとも一つの第二の反応物を含む。特定の実施形態において、化学発光組成物は、少なくとも一つの第一の反応物と、少なくとも一つの第二の反応物とを含み、少なくとも一つの第一の反応物は、粘性があるシュウ酸塩もしくはエステル組成物から選択され、そして他の実施形態において、化学発光組成物は、少なくとも一つの第一の反応物と、少なくとも一つの第二の反応物とを含み、少なくとも一つの第二の反応物は、粘性がある活性化剤から選択される。さらなる実施形態において、化学発光組成物は、少なくとも一つの第一の反応物と、少なくとも一つの第二の反応物とを含み、少なくとも一つの第一の反応物は、粘性があるシュウ酸塩もしくはエステル組成物から選択され、そして少なくとも一つの第二の反応物は、粘性がある活性化剤から選択される。
【００１４】
少なくとも一つの第一の反応物と、少なくとも一つの第二の反応物とは、使用まで隔離されて保たれなければならず、その使用の際に、それらは混ぜ合わされ、光の発生が開始する。
【００１５】
本開示の別の局面において、混合することが所望されるようなときまで、印付け組成物の少なくとも一つの第一の反応物を印付け組成物の少なくとも一つの第二の反応物から隔離して保つハウジングの内部に、反応物のうちの少なくとも一つは収められ得る。本開示の別の局面は、複数の可撓性パッケージを含み、その可撓性パッケージは、少なくとも一つの第一の反応物と、少なくとも一つの第二の反応物とを隔離して保つことに役立つ。
【００１６】
さらなる実施形態において、本開示は、収容デバイスに向けられ、その収容デバイスは以下：
（ａ）少なくとも一つの第一の収容部、
（ｂ）少なくとも一つの第二の収容部、および
（ｃ）少なくとも一つの第一の収容部と、少なくとも一つの第二の収容部とを隔離する少なくとも一つの障壁
を含み、その少なくとも一つの障壁は、少なくとも一つの裂け開始部と、向かい合わせにされた把持部を含む少なくとも一つの活性化メカニズムとを含み、その向かい合わせにされた把持部は、引き離された際に、十分な張力を少なくとも一つの裂け開始部に提供して、少なくとも一つの第一の収容部と、少なくとも一つの第二の収容部との間の流体連通を可能にし得る。本開示において開示される化学発光印付け組成物の成分は、このようなハウジングおよび／または収容デバイスにおいて収容されることが意図される。
【００１７】
さらなる実施形態において、本開示は、収容デバイスに向けられ、その収容デバイスは以下：
（ａ）少なくとも一つの第一の収容部、
（ｂ）少なくとも一つの第二の収容部、
（ｃ）少なくとも一つの第一の収容部と、少なくとも一つの第二の収容部とを隔離する少なくとも一つの障壁、および
（ｄ）少なくとも一つの活性化メカニズムであって、活性化の際に、少なくとも一つの第一の収容部と、少なくとも一つの第二の収容部との間の流体連通を可能にする、活性化メカニズム
を含む。特定の実施形態において、少なくとも一つの活性化メカニズムは、向かい合わせにされた把持部を含み、その向かい合わせにされた把持部は、引き離された際に、十分な張力を提供することができ、少なくとも一つの第一の収容部と、少なくとも一つの第二の収容部との間の流体連通を可能にし得る。本開示において開示される化学発光印付け組成物の成分は、このようなハウジングおよび／または収容デバイスにおいて収容されることが意図される。
【００１８】
本開示の他の目的は、適切な活性化剤と混ぜ合わされて輝きかつ粘性のある組成物を生成し得る粘性のあるシュウ酸塩もしくはエステル組成物と、適切なシュウ酸塩もしくはエステル組成物と混ぜ合わされて輝きかつ粘性のある組成物を同様に生成し得る粘性のある活性化剤組成物との両方を提供することである。次いで、これらの生じた組成物は、タグ付け、追跡および位置決めのために有用であり得るような、様々な表面を印付けるために使用され得る。粘性のあるシュウ酸塩もしくはエステルおよび／または粘性のある活性化剤の組成物は、より粘性の小さい溶液に勝るいくつかの所望される属性を有し得る。例えば、粘性のあるシュウ酸塩もしくはエステルおよび／または粘性のある活性化剤の組成物は、表面、特に垂直な表面に塗布された際に「定着する（ｓｔａｙ  ｐｕｔ）」。さらに、粘性のあるシュウ酸塩もしくはエステルおよび／または粘性のある活性化剤の組成物は、より大きな厚さにて印付けられる基材の上に塗布および維持され得て、単位面積あたりでのより多くの材料と、その結果としての単位面積あたりでのより大きな光出力とを生じさせる。加えて、粘性のあるシュウ酸塩もしくはエステルおよび／または粘性のある活性化剤の組成物は、（例えば、粘性のある活性化剤成分を粘性の低いシュウ酸塩もしくはエステルと混合しようと試みることに比べると）よりたやすく他の化学発光成分と混合され得る。さらに、粘性のある組成物が、ゲル化した塊の表面から（水蒸気がシュウ酸塩もしくはエステルを損耗させ得るところである）塊の表面下への水蒸気の輸送を防ぐことを助けるので、粘性のあるシュウ酸塩もしくはエステルおよび／または粘性のある活性化剤の組成物は、空気中の水蒸気の損耗効果から「自己防衛（ｓｅｌｆ−ｐｒｏｔｅｃｔｉｎｇ）」し得る。
【００１９】
本開示のさらなる実施形態は、少なくとも一つの第一の反応物と、少なくとも一つの第二の反応物とを含む化学発光する、複数の部分がある印付けシステムに向けられ、少なくとも一つの第一の反応物は、粘性のあるシュウ酸塩もしくはエステル組成物から選択され、少なくとも一つの第二の反応物は、粘性のある活性化剤から選択される。本開示の別の実施形態は、少なくとも一つの第一の反応物と、少なくとも一つの第二の反応物とを含む化学発光する、複数の部分がある印付けシステムに向けられ、ここで、少なくとも一つの第一の反応物は、粘性のあるシュウ酸塩もしくはエステル組成物から選択され、そして本開示のさらに別の実施形態は、少なくとも一つの第一の反応物と、少なくとも一つの第二の反応物とを含む化学発光する、複数の部分がある印付けシステムに向けられ、ここで、少なくとも一つの第二の反応物は、粘性のある活性化剤から選択される。反応物は、使用まで隔離されて保たれなければならず、その使用の際には、反応物が混ぜ合わされ、そして光の発生が開始する。混合することが所望されるようなときまで、印付けシステムの少なくとも一つの第二の反応物から印付けシステムの少なくとも一つの第一の反応物を隔離して保つ収容器の内部に、反応物のうちの一つは収められ得る。
【００２０】
本開示の別の実施形態は、粘性のあるシュウ酸塩もしくはエステル組成物に向けられる。特定の実施形態において、粘性のあるシュウ酸塩もしくはエステル組成物は、１５センチポアズから１０，０００，０００センチポアズの範囲にある粘度を備えた流体であり得る。粘性のあるシュウ酸塩もしくはエステル組成物の稠度は、液体の水の稠度近くから極度に粘性のあるペーストまでの範囲にあり得る。特定の実施形態において、粘性のあるシュウ酸塩もしくはエステル組成物は、溶液であり、そしてさらなる実施形態において、粘性のあるシュウ酸塩もしくはエステル組成物は、懸濁液である。粘性のあるシュウ酸塩もしくはエステル組成物が適切な活性化剤と混ぜ合わされる際に、化学発光の光は生成される。
【００２１】
本開示のさらなる実施形態は、粘性のある活性化剤組成物に向けられる。特定の実施形態において、粘性のある活性化剤組成物は、１５センチポアズから１０，０００，０００センチポアズの範囲にある粘度を備えた流体であり得る。粘性のある活性化剤組成物の稠度もまた、液体の水の稠度近くから極度に粘性のあるペーストまでの範囲にあり得る。特定の実施形態において、粘性のある活性化剤組成物は、溶液であり、そしてさらなる実施形態において、粘性のある活性化剤組成物は、懸濁液である。粘性のある活性化剤組成物が適切なシュウ酸塩もしくはエステルと混ぜ合わされる際に、化学発光の光は生成される。
【００２２】
本開示はまた、粘性のある、またはゲル化した化学発光シュウ酸塩もしくはエステル組成物を生成する方法、粘性のある活性化剤組成物を生成する方法、粘性のある、またはゲル化した化学発光組成物を生成する方法、ならびにこれらの組成物および化学発光成分の混合物を保管、混合および分配するための方法に向けられる。
【００２３】
本開示の他の局面は、第一および第二の反応物を隔離して保つために役立つ複数の収容器を含む。
【００２４】
本開示のさらなる目的または利点が、以下に続く説明において部分的に述べられ、そして部分的には説明から明らかであり、あるいは本開示の実践から知られ得る。本開示の目的および利点は、添付の特許請求の範囲において特に指し示される要素および組み合わせにより理解および達成される。
【００２５】
前述の一般的説明および後述の詳細な説明の両方は、単に例示的かつ説明的なものであり、特許請求の範囲のようには本開示を限定しないことが、理解される。
【００２６】
添付の図面は、本明細書において援用され、本明細書の一部を成し、本開示の一つの実施形態を図示し、そして説明と一緒になって本開示の原理を説明するのに役立つ。
【図面の簡単な説明】
【００２７】
【図１】図１は、印付けシステムの切り開かれた分解組立図を表し、少なくとも一つの第一の反応物を含む第一の収容器を図示する。少なくとも一つの第二の反応物を含む第二の収容器もまた、描写されている。
【図２ａ】図２ａは、印付けシステムを表し、少なくとも一つの第一の反応物を含む第一の収容器を図示する。第二の収容器は、少なくとも一つの第一の反応物の内部における隙間の内部に主に存在する少なくとも一つの第二の反応物を収める。
【図２ｂ】図２ｂは、本出願における図２ａにおいて描写された印付け器を表す。
【図３ａ】図３ａおよび図３ｂは、化学発光反応物を収める２成分保管、混合および分配システムを表す。
【図３ｂ】図３ａおよび図３ｂは、化学発光反応物を収める２成分保管、混合および分配システムを表す。
【図４ａ】図４ａ、図４ｂおよび図４ｃは、化学発光反応物を収める２成分保管、混合および分配システムを表し、ここでは、保管手段が少なくとも一つの可撓性収容器を含む。
【図４ｂ】図４ａ、図４ｂおよび図４ｃは、化学発光反応物を収める２成分保管、混合および分配システムを表し、ここでは、保管手段が少なくとも一つの可撓性収容器を含む。
【図４ｃ】図４ａ、図４ｂおよび図４ｃは、化学発光反応物を収める２成分保管、混合および分配システムを表し、ここでは、保管手段が少なくとも一つの可撓性収容器を含む。
【図５】図５は、本開示に従う印付けシステムを表し、ここで、第一の反応物を収める第一の可撓性収容器が図示される。第一の可撓性収容器もまた、少なくとも一つの第二の可撓性収容器を収め、その第二の可撓性収容器の内容物が第二の反応物を含む。
【図６】図６は、第二の可撓性収容器の詳細図を表す。
【図７】図７は、第二の可撓性収容器の構造の断面図を表す。
【図８】図８は、本開示の一つの実施形態の使用のための指示書を表す。
【発明を実施するための形態】
【００２８】
図１を参照すると、本明細書において描写される実施形態１０は、熱可塑性プラスチックまたは他の適切な材料から製作され得る第一の収容器１１を含む。第二の収容器１８は、金属箔、ガラス、プラスチックまたは他の適切な材料から成る。ネジ１３へ作動可能に接続された回転可能な基部１２が、提供される。ピストン１４が、基部１２が第一の収容器１１に対して回転する際、ネジ１３の作動がピストン１４を第一の収容器１１の内部で長手方向に動かすように、提供される。ピストンおよび第一の収容器の内壁の中に形成された溝および嵌め合いスプラインが、ピストンが第一の収容器に対して回転することを防ぐ。例えば活性化剤といった、少なくとも一つの第一の反応物１６が、第一の収容器の内部に存在する。例えば粘性のあるシュウ酸塩もしくはエステル組成物といった、少なくとも一つの第二の反応物１７が、第二の収容器１８の内部に存在する。最初の使用の前に、シュウ酸塩もしくはエステルは、第二の収容器から移され、少なくとも一つの第一の反応物の内部に提供された空間の内部に配置される。第一の反応物と第二の反応物との間の共軸的関係が示される一方で、他の構成が、当然、同様に可能である。
【００２９】
回転可能な基部１２が第一の収容器１１に対して回転する際、ピストン１４の運動は、第一の反応物１６および第二の反応物１７の両方を基部から離して収容器から出すように推し進める。第一および第二の反応物は、レオロジーを有し、そのレオロジーにより、「油性ペン（ｇｒｅａｓｅ  ｐｅｎ）」または「水性ペン（ｐａｉｎｔ  ｓｔｉｃｋ）」での筆記動作と同様の動作にて、表面に接触して配置され、その表面を横切って引かれる際に、染みまたは「杭打ち（ｐｉｌｉｎｇｓ）」の跡を創出することが可能である。印付けられる表面を横切って装置が引かれると、第一および第二の反応物は、同時に、表面上に沈着された状態になる。沈着のプロセスにおいて、反応物はまた、混ぜられ、それによって化学発光の光の生成を開始し、その結果として光を放出する印を創出する。混合要素１９が、二つの反応物の混合をさらに促進するために用いられ得て、その混合要素は、複数の剛毛、同様の指部などを含む。カバー１５が、非使用時においてデバイスの内容物を保護するために提供され得る。
【００３０】
図２ａおよび図２ｂを参照すると、第一の収容器２０に、ピボット２２を備えたピストン２３が提供される。そのピストン２３は、収容器２１の内部に据えられる。ネジ山または他の適切な手段が、収容器２１およびピストン２３に対する回転動作が加えられた際に、ピストンが第一の収容器２１に対して動くことを可能にするために提供される。ハンドル２４が、この相対的動作の発生の助けとなるために提供され得る。カバー２５が、使用間に内容物を保護する。第一の反応物２６が、収容器２１の内部に据えられる。第二の反応物２７が、脆弱な収容器２８ａの内部に据えられ、その脆弱な収容器は、今度、第一の反応物２６の内部に配置される。裂け開始部の刻み目のような、破断開始部２８ｃが、所望の場所での脆弱な収容器２８ａの破断を促進するために提供される。脆弱な収容器２８ａの下部２８ｂが、破断開始部２８ｃに対向する端部の上に設置される。この第二の区画は、ピストン２３への結合または別の方法による取り付けにより捕捉される。保持要素（示さず）が、同様に捕捉される。この保持要素の一部は、脆弱な収容器の内部に存在し、第二の反応物の少なくとも一部に延び、それによって第二の反応物を拘束し、第二の反応物が第一の反応物に対する自らの位置から脱落することを防ぐ。脆弱な収容器２８ａが箔積層構造状である場合、その保持要素は、脆弱な収容器２８ａの下部シールを含む積層シールのそのような部分に取り付けられ得る。デバイスを活性化するために、カバー２５は、第一に取り除かれる。手による張力が、把持部２９に、それを第一の収容器２１から引き離すような方法で印加される。事前に設定された力にて、脆弱な収容器２８ａは、破断開始点２８ｃにて破断し、そして脆弱な収容器２８ａの上部が、下部２８ｂから分離し、それによって第二の反応物２７がさらされる。
【００３１】
ハンドル２４は、第一の収容器２１から引き離され、図２ｂにおいて図示されるように折られる。これらのハンドルを第一の収容器に対して捻ることが、ピストン２３を上方に動かし、同時に第一および第二の反応物を第一の収容器から追い出す。ついで、デバイスは、さらされた反応物を筆記される表面の上で引くことにより、印を創出するために使用され得る。ハンドルは、コンパクトな保管のために引込められ、畳まれ得る。改変実施形態において、ピストンはネジ山を含まない。この実施形態において、ネジ山、または第一の収容器の側壁との他の係合手段は、ハンドルに一体化されている。この形において。ハンドルをその本来の位置に畳むことは、ハンドルをネジ山、または第一の収容器の側壁における他の係合手段から脱係合する。
【００３２】
図３ａおよび図３ｂは、一つのバージョンのデバイスを示し、ここでは、二つのピストンが粘性のある化学発光流体を保管収容器から追い出すために使用される。デバイスは、２シリンダー付きの容器３０を含み、ここでは、第一の反応物３１および第二の反応物３２が保管される。その第一および第二の反応物は、シリンダーの内側の空間の内部に隔離されて収められる。所望される場合、金属化箔の収容器または金属管のような二次的な保護収容器が、一方または両方のシリンダーの内部に提供され得る。その二次的な収容器の目的は、反応物を大気への曝露からさらに保護することである。ピストンアセンブリ３３が、２つのピストンを含む。使用間で、これらのピストンは、シリンダーの外側に隣り合って都合よく保管され得て、ここでは、ピストンが図３ａにおいて図示されるようにシリンダーに対して作動する。
【００３３】
ピストンの一方または両方の先端部に、所望される場合、穿孔器３９が装備され得る。その穿孔機は、内容部の排出を可能にするための穴あけまたは穿孔が必要な、以前に言及した二次的な収容器が用いられる場合、有用である。第二の穿孔機が、デバイスのノズル端の近くで用いられ得て、その結果として、収容器の第二の端もまた穿孔され得る。追従ピストン（示さず）が、収容器または二次的な収容器の内部または外側のいずれかに存在し得て、スライド可能な液密シールを形成することもできる。次いで、これらの追従ピストンは、追従ピストンがピストンにより推し進められる際に、収容器の長さに沿ってスライドする。このような収容器は、金属箔バッグ、パウチ、または管または穿孔可能もしくは壊れやすい要素を有する他の収容器を含み得る。
【００３４】
ハンドル３４が、ピストンアセンブリをその保管位置から手で引っ張るために使用される。次いで、ピストンアセンブリは、ピストンとシリンダーとを一列にそろえるために回転し、そしてピストン先端部は、シリンダー管の中に挿入される。弾性部材３５または他のバネ要素が、ピストンアセンブリをシリンダーにて推し下げるために用いられ得て、それにより反応物ゲル、流体またはペーストに圧力をかけることができる。示された部材は、一連のビードまたは他の停止手段を含み、その一連のビードまたは他の停止手段は、部材を引っ張りハンドル３４に対するその位置に関して単純に締めるまたは緩めることにより、弾性部材により発生した力が調整されることを可能にする。静的混合器３６（示さず）が、シリンダーの各出口の間、または二次的な収容手段の場合における二次的な収容器の出口とノズル３８との間にある反応物の通路の中に組み入れられ得る。静的混合器の目的は、デバイスを出る前の反応物を混ぜることの促進である。バルブ作動器３７が、反応物の流動制御を可能にするために提供され得る。ノズル３８は、流体がデバイスを出る際に、流体の流れの形状を制御する。
【００３５】
図４ａ、図４ｂ、および図４ｃは、化学発光物質の保管、混合および分配のための、可撓性パウチを組み入れたデバイス１０の実施形態を詳述する。第一の可撓性収容器４０は、内側の空間および外側の空間を備えた構造を含む。内側の空間は、第一の反応成分を含むことができる。このタイプの収容器は、金属箔構造のような薄層状材料のシートを、その周縁部の周りでシールすることにより製作され得る。この周縁シールは、熱シール、高周波溶接（ＲＦ  ｗｅｌｄｉｎｇ）、超音波溶接または任意の他の適切な手段により達成され得る。第二の可撓性収容器４１が、同様の方法において作り出され得て、第二の反応成分を収めるために使用されることが可能である。保護スリーブ４２が、その第一および第二の可撓性収容器を同じ場所に保つために提供され得る。このスリーブはまた、可撓性収容器を物理的損耗、化学線の光への曝露などから保護し得る。
【００３６】
構成要素５３は、「リブヒンジ（ｌｉｖｅ  ｈｉｎｇｅ）」と同様の、可撓性かつ伸展性の部材として機能する。分配デバイスの鼻部が下向きに曲げられる際に、構成要素５３は、分配アセンブリの最上部の部材が小さな力で伸展することを可能にする。分配アセンブリは、第一の分配部材４４ａと第二の分配部材４４ｂとを含み、その二つの部材は、その周縁部分の周りでシールにより一緒に結合されている。曲がっている間、分配部材４４ｂは、張力下にあって、伸展する；構成要素５３は、この伸展を補助する。活性化は、反応物収容パウチ４０および４１の遠位部分においても発生する張力がパウチの降伏強度を超過した場合に、起きる。この点において、パウチは（好ましくは裂け開始部にて）破断し、そして流体内容物が放たれる。
【００３７】
位置決めピン４５または他の適切な手段が、フラッグ（ｆｌａｇ）４７における位置決め穴との嵌め合いの位置を定めて収容する方法を提供する。フラッグは可撓性パウチ構造の構成要素として形成され、そのフラッグは、内側の液空間を有してもよく有さなくともよい。裂け開始部４８は、刻み目の形であり得て、力の集中部として役に立ち、力が開始部を横切って印加された場合に、開始部の近位での可撓性パウチの裂けを促進する。液圧シール４９が提供され、その液圧シールは、可撓性収容器の外側の表面に関して分配アセンブリの内側の空間を定めるのに役立つ。この液圧シールを創出する一つの手段は、可撓性収容器から分配部材の内側に延びるフラッグの一部を粘着的に接着することによる。感圧性の発泡テープ構造が、この目的のためには特に有用である。
【００３８】
静的混合器５０が、分配アセンブリ４３の中に組み込まれ得る。その混合器は、互いに噛み合った羽部、指部などを含む。分配ノズル５１は、分配アセンブリ４３に一体化してもよく一体化しなくともよく、流れおよび押し出し物の、直径および形状を制御するために用いられ得る。取り外せるキャップ５２が、ノズルを損耗から保護するため、および脇にそれた押し出しが印付けの対象ではない表面に接触した状態になることを防ぐために用いられ得る。
【００３９】
デバイスの作動は、以下のとおりである。保護キャップ５２が、分配ノズル５１から取り外される。分配アセンブリの第一の部分が、分配ノズルの第二の部分に対し曲げられる。この曲げ動作が、てこ動作をとおして張力を創出し、それによってフラッグの伸長部がノズルに留められる。この伸長部により創出された力が、裂け開始部４８にて、またはその近くでフラッグを破断させる。保護スリーブ４２に対する手による力の印加が、第一の可撓性収容器４０および第二の可撓性収容器４１に伝達されて液圧を創出し、その液圧が、第一の収容器４０の内容物５４と第二の収容器４１の内容物５５とを静的混合器５０の中に追い出し、最終的には、混合された内容物５６として分配ノズル５１から出す。力が収容器に印加され、流体が収容器の中にまだある限り、流れ５４，５５、および５６が維持される。流れを終わらせることが所望される場合、収容器への力の印加を止めることだけが必要である。分配ノズル５１の一部が、所望される場合、漏れ止めシールを形成するためにそれ自体の上に折り返され得る。キャップ５２の再設置が、所望される場合、ノズルをそれ自体の上に折られた状態に保つために使用され得る。
【００４０】
本開示の実施形態を描写する図５を参照すると、デバイス６０が、第一の薄層要素７１から製作され得る第一の収容器７０と、第二の収容器７２とを含む。周縁シール７３が、第一の薄層要素と第二の薄層要素とを結合して定められた体積のシールされた収容器を創出するために提供される。一体化した噴出部を備えた流体分配「備品（ｆｉｔｍｅｎｔ）」７４が、その収容器の中に組み入れられ得る。備品は、シールキャップ７５を含んでもよく含まなくてもよい。
【００４１】
活性化手段７６が、指用の輪部７７を含み得る把持可能領域を含む。過酸化水素のような少なくとも一つの過酸化物を含む第一の反応物８０が、収容器７０の内側の空間の内部に存在する。第二の収容器９０もまた、第一の収容器７０の内側の空間の内部に存在する。第一の薄層要素７１および第二の薄層要素７２は、化学発光反応物と適合性がある材料から選択される。「適合性がある（ｃｏｍｐａｔｉｂｌｅ）」とは、材料が反応物による顕著な影響を受けず、かつ反応物が材料による顕著な影響を受けないことを、意味する。適切な適合性のある材料としては、例えば、ポリエチレンおよびポリプロピレンが挙げられる。
【００４２】
薄層要素７１および７２の厚さは、パッケージの可撓性および頑健性を提供するために選択される。収容器内容物を光から保護すること、および／または化学発光反応により発生した光が収容器から漏れ出ることを防止することが所望される場合、不透明化剤がこれらの薄層要素の中に組み込まれ得る。周縁シール７３は、熱シール、高周波溶接（ＲＦ  ｗｅｌｄｉｎｇ）、超音波溶接または任意の他の適切な手段により達成され得る。
【００４３】
備品７４もまた、反応物と適合性がなければならず、薄層要素７１および７２への容易かつ確実なシールを可能にしなければならない。キャップ７５が、システムの非使用時において、備品の先端部を覆うために提供され得る。適切な備品の例は、Ｉｎｎｏｖａｔｉｖｅ  Ｐａｃｋａｇｉｎｇ  Ｎｅｔｗｏｒｋ，  Ｐｅａｃｈ  Ｔｒｅｅ  Ｃｉｔｙ，  ＧＡにより作り出される。
【００４４】
別の実施形態において、収容器７０は、備品なしに作り出され得て、その場合には、収容器の内容物がスリットまたは他の開口部を通して分配され得る。
【００４５】
活性化手段７６が、第一および第二の薄層要素の延伸部を含み得て、その二つの延伸部は、それらの遠位端にて結合して輪部を形成する。これらの輪部のペアが、後で詳細に考察されるデバイスの活性化を可能にするために提供され得る。
【００４６】
図６を参照すると、第二の収容器９０が、第一の積層９１、および第二の積層９２を含む。この実施形態において、積層９１および９２の両方が、同じ構造を含む。裂け開始部１１０もまた、図６において描写される。
【００４７】
図７を参照すると、積層９１および９２が、薄層要素９３、９４および９５から構成される。薄層要素９３は、アルミニウム箔、または低透湿度（ＷＶＴＲ）を備えた他の材料を含む。薄層要素９４は、ＲｏｈｍおよびＨａａｓから入手可能なＭｏｒｐｒｉｍｅ（登録商標）のようなポリプロピレン懸濁液から作り出されるタイ層（ｔｉｅ  ｌａｙｅｒ）を含む。薄層要素９５は、プロピレンのフィルムを含む。薄層要素９４は、薄層要素９３および９５の確実なシールを可能にするタイ層として機能する。シール手段は、熱シール、超音波溶接または任意の他の適切なプロセスにより成し遂げられ得る。積層９１および９２は、薄膜要素９５が互いに向き合うように構成される。
【００４８】
図６を再び参照すると、周縁シール９７が、定められた内側の体積を備えた第二の収容器９０を創出するために用いられる。周縁シール９７の完成の前に、少なくとも一つのシュウ酸塩もしくはエステル、少なくとも一つの蛍光剤および少なくとも一つの溶剤を含む多量の第二の反応物９８が、第二の収容器９０の内部に配置される。結合穴１０１が、第一の収容器７０による第二の収容器９０の捕捉を可能にするために、周縁シール９７の領域において提供される。第二の収容器９０の最も左側の隅が第一の収容器７０の左側にて周辺シール７３の内側のすぐ隣に平行にあるように、第二の収容器９０は、第一の収容器７０の内部に配置される。第二の収容器９０はまた、結合穴１０１の垂直中心が活性化手段７６の垂直中心と一列にそろえられるように第一の収容器７０の長軸に沿って構成される。
【００４９】
第一の薄層要素７１および第二の薄層要素７２は、左の結合穴１０１を通して一緒に結合され、それによって第二の収容器９０の左手側に対する第一の収容器７０の場所を固定する。第一の収容器７０の右側の長手方向の周縁シール７３の内側が、第二の収容器９０の右側の長手端のすぐ隣になるように、操作される。次いで、第一の薄層要素７１および第二の薄層要素７２は、右の結合穴１０１を通して一緒に結合され、それによって第二の収容器９０の右手側に対する第一の収容器７０の場所を固定する。
【００５０】
この動作は、薄層要素７１および７２の側面寸法を、反りまたは折れを通じて短縮した状態にさせる。特定の実施形態において、混合をいっそう容易にするためにシールをする前に、過剰空気が第一の収容器７０から除去される。
【００５１】
上で説明された本開示は、可撓性収容器の使用を例示するが、ガラスまたは他の剛性の材料もまた用いられ得る。
【００５２】
本開示の複数の部分がある印付けシステムは、少なくとも一つの粘性増強物質、少なくとも一つの第一の反応物、少なくとも一つの第二の反応物を含有する化学発光印付け組成物を含む。特定の実施形態において、少なくとも一つの第一の反応物は、少なくとも一つのシュウ酸塩もしくはエステルを含み、そして少なくとも一つの第二の反応物は、少なくとも一つの（過酸化水素のような）活性化剤を含む。例えば、適切なシュウ酸塩もしくはエステル、粘性改質剤、蛍光剤、触媒などといった本明細書において開示される成分が、本明細書において開示される様々な収容デバイスにおいて使用され得ることが、意図される。
【００５３】
本開示の特定の実施形態において、少なくとも一つの第一の反応物のための適切な組成物が、液体シュウ酸塩もしくはエステル溶液と少なくとも一つの粘性改質剤とを混ぜ合わせることにより調製され得て、その粘性改質剤は、ワックス、超低分子量ポリエチレン、ペトロラタム物質、関連するパラフィン、ならびに反応物を劣化させず、または他の方法で化学発光反応に干渉しない任意の他の化学物質から選択される。適切な粘性改質剤のさらなる例としては、ポリアミド、塩化ビニル樹脂、ポリスチレン、およびポリアクリレートのようなポリマー性増粘剤、ゴム改質剤、ゴム、デンプン、食用ゲル、ポリアクリルアミド、ならびにヒュームドシリカが挙げられ得る。特定の実施形態において、これらの適切な粘性改質剤のいずれかの組み合わせもまた、通常、用いられ得る、ゴム改質剤、ゴム、デンプン、食用ゲル、ポリアクリレート、およびポリアクリルアミド。
【００５４】
特定の実施形態において、高疎水性ワックスが用いられ得て、これらのワックスは、雨のような水しぶきに対する著しい耐久性を提供し得て、その結果、塗布された化学発光組成物の脱離を困難にする。他の実施形態において、パラフィン性ワックス（アルカン）が用いられ得て、これらのワックスは、容易には溶剤による脱離をせず、印をより恒久的にする、塗布された化学発光組成物を作り出した。
【００５５】
使用され得る適切な粘性改質剤のより特定的な例としては、以下：
Ｈａｓｅ  Ｐｅｔｒｏｌｅｕｍ  Ｗａｘ  Ｃｏ．，Ａｒｌｉｎｇｔｏｎ  Ｈｅｉｇｈｔｓ，ＩＬから入手可能な、ＨＰ  ７３１９  Ｗａｘ、ＨＰ  ＬＤＰＥ  Ｐｏｌｙｅｔｈｙｌｅｎｅ  Ｗａｘ、ＨＰ  ５８２０  Ｆｕｌｌｙ  Ｒｅｆｉｎｅｄ  Ｐａｒａｆｆｉｎ  Ｗａｘ、およびＨＰ  ５Ｇ；
Ｂａｋｅｒ  Ｈｕｇｈｅｓ，Ｓｕｇａｒｌａｎｄ，ＴＸから入手可能な、Ｖｙｂａｒ  ３４３  Ｐｏｌｙｍｅｒ、Ｂｅ  Ｓｑｕａｒｅ  １６５  Ａｍｂｅｒ  Ｗａｘ、およびＰｏｌｙｗａｘ  ４００  Ｐｏｌｙｅｔｈｙｌｅｎｅ；
Ｔｈｅ  Ｉｎｔｅｒｎａｔｉｏｎａｌ  Ｇｒｏｕｐ，Ｔｉｔｕｓｖｉｌｌｅ，ＰＡから入手可能な、Ｐａｒａｆｌｅｘ  ４５８０Ａ；および
様々な製造者から入手可能な、ペトロラタム
が挙げられる。
【００５６】
様々な粘性改質剤の相互の比率の制御、および粘性改質剤の液体シュウ酸塩もしくはエステルに対する比率の制御により、所望され得るように、粘性のある化学発光物質のレオロジー的特性と融解温度とを制御することが、可能である。一般的に、液体シュウ酸塩もしくはエステルの粘性改質剤に対するＷ／Ｗ比率は、粘性改質剤約９５％に対しシュウ酸塩もしくはエステル約５％から、粘性改質剤約４０％に対しシュウ酸塩もしくはエステル約６０％の範囲にわたり機能的であり、より多くのシュウ酸塩もしくはエステルを含有する混合物ほど、より低い見かけ粘度を有することが、発見された。例えば、液体シュウ酸塩もしくはエステルの粘性改質剤に対する適切な比率の例としては、例えば、粘性改質剤９０％に対してシュウ酸塩もしくはエステル１０％、粘性改質剤８５％に対してシュウ酸塩もしくはエステル１５％、粘性改質剤８０％に対してシュウ酸塩もしくはエステル２０％、粘性改質剤７５％に対してシュウ酸塩もしくはエステル２５％、粘性改質剤７０％に対してシュウ酸塩もしくはエステル３０％、粘性改質剤６５％に対してシュウ酸塩もしくはエステル３５％、粘性改質剤６０％に対してシュウ酸塩もしくはエステル４０％、粘性改質剤５５％に対してシュウ酸塩もしくはエステル４５％、粘性改質剤５０％に対してシュウ酸塩もしくはエステル５０％、および粘性改質剤４５％に対してシュウ酸塩もしくはエステル５５％が挙げられる。特定の実施形態において、粘性改質剤は、ワックスまたは様々なワックスの混合物から選択される。
【００５７】
適切なシュウ酸エステルは、しゅう酸ビス（２，４，５−トリクロロ−６−カルボペントキシフェニル）；しゅう酸ビス（２，４，５−トリクロロフェニル）；しゅう酸ビス（２，４，５−トリブロモ−６−カルボヘキソキシフェニル）；しゅう酸ビス（２，４，５−トリクロロ−６−カルボイソペントキシフェニル）；しゅう酸ビス（２，４，５−トリクロロ−６−カルボベンゾキシフェニル）；しゅう酸ビス（２−ニトロフェニル）；しゅう酸ビス（２，４−ジニトロフェニル）；しゅう酸ビス（２，６−ジクロロ−４−ニトロフェニル）；しゅう酸ビス（２，４、６−トリクロロフェニル）；しゅう酸ビス（３−トリフルオロメチル−４−ニトロフェニル）；しゅう酸ビス（２−メチル−４，６−ジニトロフェニル）；しゅう酸ビス（１，２−ジメチル−４，６−ジニトロフェニル）；しゅう酸ビス（２，４−ジクロロフェニル）；しゅう酸ビス（２，４−ジニトロフェニル）；しゅう酸ビス（２，５−ジニトロフェニル）；しゅう酸ビス（２−ホルミル−４−ニトロフェニル）；しゅう酸ビス（ペンタクロロフェニル）；ビス（１，２−ジヒドロ−２−オキソ−１−ピリジル）グリオキサール；しゅう酸ビス（２，４−ジニトロ−６−メチルフェニル）；しゅう酸ビス−Ｎ−フタルイミジル、一般式（Ｉ）により表されるシュウ酸エステル
【００５８】
【化１】
2014501921.tif 000002
（ここで、Ｒ＝ＣＨ２Ａであり、そしてＡが、アルキル鎖、アルキル環、および芳香環またはそれらの組み合わせから選択され、Ｒが非直鎖状であり、Ｒが４〜１５個の炭素原子を含む）、および前述のシュウ酸エステルのいずれかの混合物から選択され得る。
【００５９】
式（Ｉ）により表されるシュウ酸エステルの例としては、
しゅう酸ビス｛３，４，６−トリクロロ−２−［（２−メチルプロポキシ）カルボニル］フェニル｝；
しゅう酸ビス｛３，４，６−トリクロロ−２−［（シクロプロピルメトキシ）カルボニル］フェニル｝；
しゅう酸ビス｛３，４，６−トリクロロ−２−［（２−メチルブトキシ）カルボニル］フェニル｝；
しゅう酸ビス｛３，４，６−トリクロロ−２−［（３−メチルブトキシ）カルボニル］フェニル｝；
しゅう酸ビス｛３，４，６−トリクロロ−２−［（２，２−ジメチルプロポキシ）カルボニル］フェニル｝；
しゅう酸ビス｛３，４，６−トリクロロ−２−［（２−メチルペンチルオキシ）カルボニル］フェニル｝；
しゅう酸ビス｛３，４，６−トリクロロ−２−［（３−メチルペンチルオキシ）カルボニル］フェニル｝；
しゅう酸ビス｛３，４，６−トリクロロ−２−［（４−メチルペンチルオキシ）カルボニル］フェニル｝；
しゅう酸ビス｛３，４，６−トリクロロ−２−［（３，３−ジメチルブトキシ）カルボニル］フェニル｝；
しゅう酸ビス｛３，４，６−トリクロロ−２−［（２−エチルブトキシ）カルボニル］フェニル｝；
しゅう酸ビス｛３，４，６−トリクロロ−２−［（シクロペンチルメトキシ）カルボニル］フェニル｝；
しゅう酸ビス｛３，４，６−トリクロロ−２−［（２−メチルヘキシルオキシ）カルボニル］フェニル｝；
しゅう酸ビス｛３，４，６−トリクロロ−２−［（３−メチルヘキシルオキシ）カルボニル］フェニル｝；
しゅう酸ビス｛３，４，６−トリクロロ−２−［（４−メチルヘキシルオキシ）カルボニル］フェニル｝；
しゅう酸ビス｛３，４，６−トリクロロ−２−［（５−メチルヘキシルオキシ）カルボニル］フェニル｝；
しゅう酸ビス｛３，４，６−トリクロロ−２−［（シクロヘキシルメトキシ）カルボニル］フェニル｝；
しゅう酸ビス｛３，４，６−トリクロロ−２−［（フェニルメトキシ）カルボニル］フェニル｝；
しゅう酸ビス｛３，４，６−トリクロロ−２−［（２−フェニルエトキシ）カルボニル］フェニル｝；
しゅう酸ビス（３，４，６−トリクロロ−２−｛［（２−メチルフェニル）メトキシ］カルボニル｝フェニル）；
しゅう酸ビス（３，４，６−トリクロロ−２−｛［（３−メチルフェニル）メトキシ］カルボニル｝フェニル）；
しゅう酸ビス（３，４，６−トリクロロ−２−｛［（４−メチルフェニル）メトキシ］カルボニル｝フェニル）；
しゅう酸ビス（３，４，６−トリクロロ−２−｛［（２，３−ジメチルフェニル）メトキシ］カルボニル｝フェニル）；
しゅう酸ビス（３，４，６−トリクロロ−２−｛［（２，４−ジメチルフェニル）メトキシ］カルボニル｝フェニル）；
しゅう酸ビス（３，４，６−トリクロロ−２−｛［（３，４−ジメチルフェニル）メトキシ］カルボニル｝フェニル）；
しゅう酸ビス（３，４，６−トリクロロ−２−｛［（３，５−ジメチルフェニル）メトキシ］カルボニル｝フェニル）；
しゅう酸ビス（３，４，６−トリクロロ−２−｛［（２，６−ジメチルフェニル）メトキシ］カルボニル｝フェニル）；
しゅう酸ビス（３，４，６−トリクロロ−２−｛［（２−エチルフェニル）メトキシ］カルボニル｝フェニル）；
しゅう酸ビス（３，４，６−トリクロロ−２−｛［（３−エチルフェニル）メトキシ］カルボニル｝フェニル）；
しゅう酸ビス（３，４，６−トリクロロ−２−｛［（４−エチルフェニル）メトキシ］カルボニル｝フェニル）；
しゅう酸ビス（３，４，６−トリクロロ−２−｛［２−（２−メチルフェニル）エトキシ］カルボニル｝フェニル）；
しゅう酸ビス（３，４，６−トリクロロ−２−｛［２−（３−メチルフェニル）エトキシ］カルボニル｝フェニル）；
しゅう酸ビス（３，４，６−トリクロロ−２−｛［２−（４−メチルフェニル）エトキシ］カルボニル｝フェニル）；
しゅう酸ビス｛３，４，６−トリクロロ−２−［（２−フェニルプロポキシ）カルボニル］フェニル｝；
しゅう酸ビス｛３，４，６−トリクロロ−２−［（３−フェニルプロポキシ）カルボニル］フェニル｝；
しゅう酸ビス｛３，４，６−トリクロロ−２−［（１−ナフタレニルメトキシ）カルボニル］フェニル｝；
しゅう酸ビス｛３，４，６−トリクロロ−２−［（２−ナフタレニルメトキシ）カルボニル］フェニル｝；
しゅう酸ビス｛３，４，６−トリクロロ−２−［（２，２−ジフェニルエトキシ）カルボニル］フェニル｝；
しゅう酸ビス｛３，４，６−トリクロロ−２−［（９−フルオレニルメトキシ）カルボニル］フェニル｝；および
しゅう酸ビス｛３，４，６−トリクロロ−２−［（９−アントラセニルメトキシ）カルボニル］フェニル｝が挙げられる。
【００６０】
一般式（Ｉ）により表されるシュウ酸塩もしくはエステルのさらなる例は、米国特許出願公開第２０１１−００８４２４３号において開示され、このようなシュウ酸塩もしくはエステルの開示は本明細書において参考として援用される。
【００６１】
本明細書において開示される粘性改質剤のうちの少なくとも一つと、本明細書において開示されるシュウ酸塩もしくはエステルのうちの少なくとも一つとを混ぜ合わせることにより、適切な粘性のあるシュウ酸塩もしくはエステル組成物が作り出され得ることが、意図される。次いで、化学発光組成物を作り出すために、粘性のあるシュウ酸塩もしくはエステル組成物は、少なくとも一つの活性化剤を含む第二の反応物と混ぜ合わせられ得て、その活性化剤は、粘性のある活性化剤であり得る。
【００６２】
活性化剤としての過酸化水素に加えて、他の適切な活性化剤としては、過酸化ナトリウム、過ホウ酸ナトリウム、過酸化ピロリン酸ナトリウム（ｓｏｄｉｕｍ  ｐｙｒｏｐｈｏｓｐｈａｔｅ  ｐｅｒｏｘｉｄｅ）、過酸化尿素、過酸化ヒスチジン、ｔ−ブチル−ヒドロペルオキシド、過安息香酸、過炭酸ナトリウム、およびそれらの混合物が挙げられる。
【００６３】
粘性のあるシュウ酸塩もしくはエステルの場合のように、本明細書において開示される様々な粘性改質剤の相互の比率の制御、および粘性改質剤の液体活性化剤に対する比率の制御により、粘性のある活性化剤のレオロジー的特性と融解温度とを制御することもまた、可能である。一般的に、液体活性化剤の粘性改質剤に対するＷ／Ｗ比率は、粘性改質剤約９５％に対し活性化剤約５％から、粘性改質剤約４０％に対し活性化剤約６０％の範囲にわたり機能的であり、より多くの活性化剤を含有する混合物ほど、より低い見かけ粘度を有することが、発見された。例えば、液体活性化剤の粘性改質剤に対する適切な比率の例としては、例えば、粘性改質剤９０％に対して活性化剤１０％、粘性改質剤８５％に対して活性化剤１５％、粘性改質剤８０％に対して活性化剤２０％、粘性改質剤７５％に対して活性化剤２５％、粘性改質剤７０％に対して活性化剤３０％、粘性改質剤６５％に対して活性化剤３５％、粘性改質剤６０％に対して活性化剤４０％、粘性改質剤５５％に対して活性化剤４５％、粘性改質剤５０％に対して活性化剤５０％、および粘性改質剤４５％に対して活性化剤５５％が挙げられる。活性化剤が本明細書において開示される粘性改質剤のいずれかと混ぜ合わされ得ることが、意図される。特定の実施形態において、粘性改質剤は、焼成シリカから選択される。
【００６４】
特定の実施形態において、粘性のあるシュウ酸塩もしくはエステル組成物の活性化剤に対する量の比率が、１：６から６：１の範囲にあり得る。例えば、粘性のあるシュウ酸塩もしくはエステル組成物の活性化剤に対する適切な重量の比率が、１：６から、１：４から、１：２から、１：１から、２：１から、３：１から、４：１から、５：１から、および６：１からの範囲にあり得る。さらなる実施形態において、シュウ酸塩もしくはエステルの粘性のある活性化剤組成物に対する量の比率が、１：６から６：１の範囲にあり得る。例えば、シュウ酸塩もしくはエステルの粘性のある活性化剤組成物に対する適切な重量の比率が、１：６から、１：４から、１：２から、１：１から、２：１から、３：１から、４：１から、５：１から、および６：１からの範囲にあり得る。他の実施形態において、粘性のあるシュウ酸塩もしくはエステル組成物の粘性のある活性化剤組成物に対する量の比率が、１：６から６：１の範囲にあり得る。例えば、粘性のあるシュウ酸塩もしくはエステル組成物の粘性のある活性化剤組成物に対する適切な重量の比率が、１：６から、１：４から、１：２から、１：１から、２：１から、３：１から、４：１から、５：１から、および６：１からの範囲にあり得る。
【００６５】
特定の実施形態において、粘性のあるシュウ酸塩もしくはエステル組成物の量は、粘性のある化学発光組成物の総重量を基にして、３重量パーセントから６０重量パーセントの範囲にあり得る。例えば、少なくとも一つのシュウ酸塩もしくはエステルは、粘性のある化学発光組成物の総重量を基にして、３重量パーセントから４０重量パーセント、３重量パーセントから３０重量パーセント、５重量パーセントから２５重量パーセント、そして７重量パーセントから２５重量パーセントのような、３重量パーセントから５０重量パーセントの範囲にある量で存在し得る。少なくとも一つのシュウ酸塩もしくはエステルの量が、上で列挙したいずれかの数値の間の範囲にあり得ることもまた、意図される。
【００６６】
特定の実施形態において、少なくとも一つの活性化剤は、本明細書において開示される粘性のある化学発光組成物の総重量を基にして、０．２５重量パーセントから２５重量パーセントの範囲にある量で、活性化剤溶液の液相において存在する。例えば、少なくとも一つの活性化剤は、化学発光印付け組成物の総重量を基にして、０．５重量パーセントから２０重量パーセント、０．５重量パーセントから１５重量パーセント、０．５重量パーセントから１０重量パーセント、そして０．５重量パーセントから６重量パーセントのような、０．２５重量パーセントから２０重量パーセントの範囲にある量で存在し得る。少なくとも一つの活性化剤の量が、上で列挙したいずれかの数値の間の範囲にあり得ることもまた、意図される。
【００６７】
特定の実施形態において、粘性のあるシュウ酸塩もしくはエステル組成物および／または粘性のある活性化剤を含む生じた化学発光組成物は、１５センチポアズから１０，０００，０００センチポアズの範囲にある粘度を有する。例えば、本開示に従い生じた化学発光組成物は、２５センチポアズまたはそれよりも大きい、５０センチポアズまたはそれよりも大きい、１００センチポアズまたはそれよりも大きい、５００センチポアズまたはそれよりも大きい、１０００センチポアズまたはそれよりも大きい、２５００センチポアズまたはそれよりも大きい、５０００センチポアズまたはそれよりも大きい、７５００センチポアズまたはそれよりも大きい、１０，０００センチポアズまたはそれよりも大きい、１５，０００センチポアズまたはそれよりも大きい、５０，０００センチポアズまたはそれよりも大きい、１００，０００センチポアズまたはそれよりも大きい、２５０，０００センチポアズまたはそれよりも大きい、５００，０００センチポアズまたはそれよりも大きい、１，０００，０００センチポアズまたはそれよりも大きい、１，５００，０００センチポアズまたはそれよりも大きい、２，０００，０００センチポアズまたはそれよりも大きい、２，５００，０００センチポアズまたはそれよりも大きい、３，０００，０００センチポアズまたはそれよりも大きい、３，５００，０００センチポアズまたはそれよりも大きい、４，０００，０００センチポアズまたはそれよりも大きい、４，５００，０００センチポアズまたはそれよりも大きい、５，０００，０００センチポアズまたはそれよりも大きい、５，５００，０００センチポアズまたはそれよりも大きい、６，０００，０００センチポアズまたはそれよりも大きい、６，５００，０００センチポアズまたはそれよりも大きい、７，０００，０００センチポアズまたはそれよりも大きい、７，５００，０００センチポアズまたはそれよりも大きい、８，０００，０００センチポアズまたはそれよりも大きい、８，５００，０００センチポアズまたはそれよりも大きい、９，０００，０００センチポアズまたはそれよりも大きい、あるいは９，５００，０００センチポアズまたはそれよりも大きくあり得る。さらなる実施形態において、本開示に従う化学発光印付け組成物の粘度は、９，５００，０００センチポアズまたはそれよりも小さく、９，０００，０００センチポアズまたはそれよりも小さく、８，５００，０００センチポアズまたはそれよりも小さく、８，０００，０００センチポアズまたはそれよりも小さく、７，５００，０００センチポアズまたはそれよりも小さく、７，０００，０００センチポアズまたはそれよりも小さく、６，５００，０００センチポアズまたはそれよりも小さく、６，０００，０００センチポアズまたはそれよりも小さく、５，５００，０００センチポアズまたはそれよりも小さく、５，０００，０００センチポアズまたはそれよりも小さく、４，５００，０００センチポアズまたはそれよりも小さく、４，０００，０００センチポアズまたはそれよりも小さく、３，５００，０００センチポアズまたはそれよりも小さく、３，０００，０００センチポアズまたはそれよりも小さく、２，５００，０００センチポアズまたはそれよりも小さく、２，０００，０００センチポアズまたはそれよりも小さく、１，５００，０００センチポアズまたはそれよりも小さく、１，０００，０００センチポアズまたはそれよりも小さく、５００，０００センチポアズまたはそれよりも小さく、２５０，０００センチポアズまたはそれよりも小さく、１００，０００センチポアズまたはそれよりも小さく、５０，０００センチポアズまたはそれよりも小さく、１５，０００センチポアズまたはそれよりも小さく、１０，０００センチポアズまたはそれよりも小さく、７，５００センチポアズまたはそれよりも小さく、５，０００センチポアズまたはそれよりも小さく、２，５００センチポアズまたはそれよりも小さく、１，０００センチポアズまたはそれよりも小さく、５００センチポアズまたはそれよりも小さく、あるいは２５０センチポアズまたはそれよりも小さくあり得る。本開示に従う化学発光印付け組成物の粘度が、上で列挙したいずれかの数値の間の範囲にあり得ることもまた、意図される。例えば、特定の実施形態において、本開示に従う化学発光印付け組成物の粘度は、１００，０００センチポアズから１，５００，０００センチポアズの範囲にあり得る。
【００６８】
特定の実施形態において、本開示の粘性のある化学発光組成物は、少なくとも一つの蛍光剤をさらに含み得る。本開示において有用な少なくとも一つの蛍光剤の例としては、１−メトキシ−９，１０−ビス（フェニルエチニル）アントラセン；ペリレン；１６，１７−ジデシロオキシビオラントロン（１６，１７−ｄｉｄｅｃｙｃｌｏｘｙｖｉｏｌａｎｔｈｒｏｎｅ）；２−エチル−９，１０−ビス（フェニルエチニル）アントラセン；２−クロロ−９，１０−ビス（４−エトキシフェニル）アントラセン；２−クロロ−９，１０−ビス（４メトキシフェニル）アントラセン（２−ｃｈｌｏｒｏ−９，１０−ｂｉｓ（４ｍｅｔｈｏｘｙｐｈｅｎｙｌ）ａｎｔｈｒａｃｅｎｅ）；９，１０−ビス（フェニルエチニル）アントラセン；１−クロロ−９，１０−ビス（フェニルエチニル）アントラセン；１，８−ジクロロ−９，１０−ビス（フェニルエチニル）アントラセン；１，５−ジクロロ−９，１０−ビス（フェニルエチニル）アントラセン；２，３−ジクロロ−９，１０−ビス（フェニルエチニル）アントラセン；５，１２−ビス（フェニルエチニル）テトラセン；９，１０−ジフェニルアントラセン；１，６，７，１２−テトラフェノキシ−Ｎ，Ｎ’−ビス（２，６−ジイソプロピルフェニル）−３，４，９，１０−ペリレンジカルボキシイミド；１，６，７，１２−テトラフェノキシ−Ｎ，Ｎ’−ビス（２，５−ジ−ｔ−ブチルフェニル）−３，４，９，１０−ペリレンジカルボキシイミド；１，７−ジ−クロロ−６，１２−ジフェノキシ−Ｎ，Ｎ’−ビス（２，６−ジイソプロピルフェニル）−３，４，９，１０−ペリレンジカルボキシイミド（１，７−ｄｉ−ｃｈｌｏｒｏ−６，１２−ｄｉｐｈｅｎｏｘｙ−Ｎ，Ｎ’−ｂｉｓ（２，６−ｄｉｉｓｏｐｒｏｐｙｌｐｈｅｎｙｌ）−３，４，９，１０−ｐｅｒｙｌｅｎｅ  ｄｉｃａｒｂｏｘｉｍｉｄｅ）；１，６，７，１２−テトラ（ｐ−ブロモフェノキシ）−Ｎ，Ｎ’−ビス（２，６−ジイソプロピルフェニル）−３，４，９，１０−ペリレンジカルボキシイミド；１，６，７，１２−テトラフェノキシ−Ｎ，Ｎ’−ジ−ネオペンチル−３，４，９，１０−ペリレンジカルボキシイミド（１，６，７，１２−ｔｅｔｒａｐｈｅｎｏｘｙ−Ｎ，Ｎ’−ｄｉ−ｎｅｏｐｅｎｔｙｌ−３，４，９，１０−ｐｅｒｙｌｅｎｅ  ｄｉｃａｒｂｏｘｉｍｉｄｅ）；１，６，７，１２−テトラ（ｐ−ｔ−ブチルフェノキシ）Ｎ，Ｎ’−ジネオペンチル−３，４，９，１０−ペリレンジカルボキシイミド；１，６，７，１２−テトラ（ｏ−クロロフェノキシ）−Ｎ，Ｎ’−ビス（２，６−ジイソプロピルフェニル）−３，４，９，１０−ペリレンジカルボキシイミド；１，６，７，１２−テトラ（ｐ−クロロフェノキシ）−Ｎ，Ｎ’−ビス（２，６−ジイソプロピルフェニル）−３，４，９，１０−ペリレンジカルボキシイミド；１，６，７，１２−テトラ（ｏ−フルオロフェノキシ）−Ｎ，Ｎ’−ビス（２，６−ジイソプロピルフェニル）−３，４，９，１０−ペリレンジカルボキシイミド；１，６，７，１２−テトラ（ｐ−フルオロフェノキシ）−Ｎ，Ｎ’ビス（２，６−ジイソプロピルフェニル）−３，４，９，１０−ペリレンジカルボキシイミド（１，６，７，１２−ｔｅｔｒａ（ｐ��ｆｌｕｏｒｏｐｈｅｎｏｘｙ）−Ｎ，Ｎ’ｂｉｓ（２，６−ｄｉｉｓｏｐｒｏｐｙｌｐｈｅｎｙｌ）−３，４，９，１０−ｐｅｒｙｌｅｎｅ  ｄｉｃａｒｂｏｘｉｍｉｄｅ）；１，６，７，１２−テトラフェノキシ−Ｎ，Ｎ’−ジエチル−３，４，９，１０−ペリレンジカルボキシイミド；１，７−ジブロモ−６，１２−ジフェノキシ−Ｎ，Ｎ’−ビス（２−イソプロピルフェニル）−３，４，９，１０−ペリレンジカルボキシイミド；１６，１７−ジヘキシルオキシビオラントロン；ルブレン；１，４−ジメチル−９，１０−ビス（フェニルエチニル）アントラセン、およびそれらの混合物が挙げられる。
【００６９】
特定の実施形態において、少なくとも一つの蛍光剤は、粘性のある化学発光組成物の総重量を基にして、０．０５重量パーセントから０．９重量パーセントの範囲にある量で存在する。例えば、少なくとも一つの蛍光剤は、粘性のある化学発光組成物の総重量を基にして、０．１重量パーセントまたはそれよりも多く、０．２重量パーセントまたはそれよりも多く、０．３重量パーセントまたはそれよりも多く、０．４重量パーセントまたはそれよりも多く、０．５重量パーセントまたはそれよりも多く、０．６重量パーセントまたはそれよりも多く、０．７重量パーセントまたはそれよりも多く、そして０．８重量パーセントまたはそれよりも多いような、０．０５重量パーセントよりも多い量から０．９重量パーセントまでの範囲にある量で存在し得る。さらに、少なくとも一つの蛍光剤は、粘性のある化学発光組成物の総重量を基にして、０．８重量パーセントまたはそれよりも少ない、０．７重量パーセントまたはそれよりも少ない、０．６重量パーセントまたはそれよりも少ない、０．５重量パーセントまたはそれよりも少ない、０．４重量パーセントまたはそれよりも少ない、０．３重量パーセントまたはそれよりも少ない、０．２重量パーセントまたはそれよりも少ない、そして０．１重量パーセントまたはそれよりも少ないような、０．０５重量パーセントから０．９重量パーセントよりも少ない範囲にある量で存在し得る。少なくとも一つの蛍光剤の量が、上で列挙されたいずれかの数値の間の範囲にあり得ることもまた、意図される。
【００７０】
さらなる実施形態において、本開示の粘性のある化学発光組成物は、少なくとも一つの触媒をさらに含み得る。本開示において有用な少なくとも一つの触媒の例としては、サリチル酸ナトリウム、サリチル酸リチウム、５−クロロサリチル酸リチウム、トリアゾール、およびイミダゾールが挙げられる。例えば、少なくとも一つの触媒は、粘性のある化学発光組成物の総重量を基にして、０．００１重量パーセントまたはそれよりも多い、０．００５重量パーセントまたはそれよりも多い、０．０１重量パーセントまたはそれよりも多い、０．０５重量パーセントまたはそれよりも多い、０．１重量パーセントまたはそれよりも多い、０．２５重量パーセントまたはそれよりも多い、０．５重量パーセントまたはそれよりも多い、１重量パーセントまたはそれよりも多い、１．５重量パーセントまたはそれよりも多い、２重量パーセントまたはそれよりも多い、２．５重量パーセントまたはそれよりも多い、３重量パーセントまたはそれよりも多い、３．５重量パーセントまたはそれよりも多い、４重量パーセントまたはそれよりも多い、４．５重量パーセントまたはそれよりも多い、５重量パーセントまたはそれよりも多い、そして７．５重量パーセントまたはそれよりも多いような、０．０００５重量パーセントよりも多く１０重量パーセントまでの範囲にある量で存在し得る。さらに、少なくとも一つの触媒は、粘性のある化学発光組成物の総重量を基にして、７．５重量パーセントまたはそれよりも少ない、５重量パーセントまたはそれよりも少ない、４．５重量パーセントまたはそれよりも少ない、４重量パーセントまたはそれよりも少ない、３．５重量パーセントまたはそれよりも少ない、３重量パーセントまたはそれよりも少ない、２．５重量パーセントまたはそれよりも少ない、２重量パーセントまたはそれよりも少ない、１．５重量パーセントまたはそれよりも少ない、１重量パーセントまたはそれよりも少ない、０．５重量パーセントまたはそれよりも少ない、０．２５重量パーセントまたはそれよりも少ない、０．１重量パーセントまたはそれよりも少ない、０．０５重量パーセントまたはそれよりも少ない、０．０１重量パーセントまたはそれよりも少ない、０．００５重量パーセントまたはそれよりも少ない、そして０．００１重量パーセントまたはそれよりも少ないような、０．０００５重量パーセントから１０重量パーセントよりも少ない範囲にある量で存在し得る。少なくとも一つの触媒の量が、上で列挙されたいずれかの数値の間の範囲にあり得ることもまた、意図される。
【００７１】
特定の実施形態において、本開示に従う粘性のある化学発光組成物はまた、少なくとも一つの担体、すなわち溶媒を含み得る。本開示において有用な少なくとも一つの担体の例としては、フタル酸ジメチル、フタル酸ジブチル、フタル酸ジオクチル（ｄｉｏｃｔａｌ  ｐｈｔｈａｌａｔｅ）、安息香酸ブチル、アセチルクエン酸トリエチル、クエン酸トリエチル、エチレングリコールジベンゾエート、グリセロールトリベンゾエートおよび１個から３個のプロピレン部分を含むプロピレングリコールジアルキルエーテルが挙げられ、そして各アルキル基は、独立して、８個までの炭素原子を含む直鎖状または分岐鎖状のアルキル基である。特定の実施形態において、担体は、フタル酸ジメチル、クエン酸トリエチル、エチレングリコールジベンゾエート、グリセロールトリベンゾエート、プロピレングリコールジアルキルエーテル、フタル酸ジブチル、安息香酸ブチル、プロピレングリコールジベンゾエート、りん酸エチルヘキシルジフェニル、およびそれらの混合物から選択され、そのプロピレングリコールジアルキルエーテルは、ジプロピレングリコールジメチルエーテル、ジプロピレングリコールジエチルエーテルおよびジプロピレングリコールジ−ｔ−ブチルエーテルのように２個のプロピレン部分を含む。
【００７２】
特定の実施形態において、少なくとも一つの担体が、粘性のある化学発光組成物の総重量を基にして、５重量パーセントから９５重量パーセントの範囲にある量で存在する。例えば、少なくとも一つの担体は、粘性のある化学発光組成物の総重量を基にして、１０重量パーセントよりも多い、２０重量パーセントよりも多い、３０重量パーセントよりも多い、４０重量パーセントよりも多い、５０重量パーセントよりも多い、６０重量パーセントよりも多い、７０重量パーセントよりも多い、８０重量パーセントよりも多い、そして９０重量パーセントよりも多いような、５重量パーセントよりも多く９５重量パーセントまでの範囲にある量で存在し得る。さらに、少なくとも一つの担体は、粘性のある化学発光組成物の総重量を基にして、９０重量パーセントよりも少ない、８０重量パーセントよりも少ない、７０重量パーセントよりも少ない、６０重量パーセントよりも少ない、５０重量パーセントよりも少ない、４０重量パーセントよりも少ない、３０重量パーセントよりも少ない、２０重量パーセントよりも少ない、そして１０重量パーセントよりも少ないような、５重量パーセントから９５重量パーセントよりも少ない範囲にある量で存在し得る。少なくとも一つの担体の量が、上で列挙されたいずれかの数値の間の範囲にあり得ることもまた、意図される。
【実施例】
【００７３】
別段示されない限り、本明細書および特許請求の範囲において使用される成分、反応条件などの数量を表す全ての数字は、全ての例において、用語「約（ａｂｏｕｔ）」により修飾されているものとして理解される。したがって、反対のことが示されない限り、後に続く明細書および添付の特許請求の範囲において述べられる数的パラメータは、本開示により達成されようと求められる所望の特性に依って変わり得る概算値である。
【００７４】
本開示の他の実施形態は、本明細書の考慮と、本明細書において開示される開示の実践とから、当業者にとって明らかである。本明細書および実施例は、例示的なものとしてのみ考慮されることが意図される、本開示の真の範囲および趣旨は、後に続く特許請求の範囲により示される。
【００７５】
実施例１−粘性のある化学発光活性化剤を、化学発光組成物における第一の反応物として供するために調合した。第一に、過酸化水素２．１重量％、Ｈ２Ｏ０．９重量％、、サリチル酸ナトリウム０．００１５重量％、およびクエン酸トリエチル約９７重量％を混ぜ合わせることにより、液体化学発光活性化剤を調製した。Ｗａｃｋｅｒ  Ｃｈｅｍｉｃａｌ  Ｃｏｒｐ．，  Ａｄｒｉａｎ，  Ｍｉｃｈｉｇａｎから入手した、シリコーン処理した焼成シリカ（ＨＤＫ  Ｈ１７）１１重量％を、液体化学発光活性化剤８９重量％と混ぜ合わせ、徹底的に混合して粘性のある化学発光活性化剤ゲルを作り出した。
【００７６】
粘性のある化学発光活性化剤ゲル７５グラムは、図５において描写される第一の収容器７０の中に配置可能であり、ここでは、ゲルが形状８０により表現される。
【００７７】
液体化学発光シュウ酸塩もしくはエステルを、第二の反応物として使用するために調製した。この液体化学発光シュウ酸塩もしくはエステルは、しゅう酸ビス（２，４，５−トリクロロ−６−カルボペントキシフェニル）２３．５重量％、１−メトキシ−９，１０−ビス（フェニルエチレン）アントラセン０．５重量％、安息香酸ブチル６０重量％、およびグリセロールトリベンゾエート１６重量％を含有していた。
【００７８】
液体化学発光シュウ酸塩もしくはエステル２５グラムは、周縁シール９７を完成する前に、図５において描写される第二の収容器９０の中に注ぎ込むことが可能である。他の実施形態において、粘性のある化学発光活性化剤ゲルの量と、液体シュウ酸塩もしくはエステルの量とを、変えることが可能であり、その結果として、粘性のある化学発光活性化剤ゲルと、液体シュウ酸塩もしくはエステルとの量の比率は、１：６から６：１の範囲にあることが可能である。
【００７９】
１／４”直径の穴あけ器を使用して、図５において描写される結合穴１０１を創出した。これらの結合穴を、周縁シールの内部におけるパッケージの濡れ領域の外側に設置した。図５における裂け開始部１１０を、結合穴１０１の間の周縁端９７の領域における第二の収容器９０の積層構造を通して切ることにより、作り出した。裂け開始部１１０は、第二の収容器９０の濡れ部分の中に突出せず、結合穴１０１の間に印加される引張力を集中させるために供され、その結果として、十分な引張力が結合穴１０１に印加される際に、第二の収容器９０の完全な状態が破られる。前述した組立プロセスを使用して、第二の収容器９０を、第一の収容器７０の中に挿入して、それに結合させた。化学発光活性化剤ゲル７５グラムを、シリンジ状のデバイスを使用して、第一の収容器７０の中に注射した。シリンジを操作して、化学発光活性化剤ゲル一回量を、備品と裂け開始部１１０との間に配置した。第一の収容器７０を、加圧して過剰空気を追い出し、次いでシールした。
【００８０】
組み立てた印付けシステムを、以下の方法で試験した：  備品を下に向けた状態で、試験者が、試験者の左手から人差し指を左の輪部２７の中に挿入し、試験者の右人差し指を右の輪部の中２７に挿入した。手の力を印加して、輪部を引き離し、それによって裂け開始部６０上に引張力を創出し、第二の収容器４０を裂開させて、液体化学発光シュウ酸えんもエステルを追い出した。残っているシュウ酸塩もしくはエステルを、第二の収容器４０から第一の収容器２０の内側の空間の中に絞り出した。手の力を印加して、シュウ酸塩もしくはエステルと活性化剤ゲルとを約１分間混合した。備品のキャップを取り除き、備品の先端部を、切ることにより取り除いた。第一の収容器を絞って、今輝いている化学発光ゲルを、備品の開口部を通して、屋外に設置した非塗装の合板基材の上に追い出した。印付けシステムを使用して、様々な印および記号を基材の上に創出した。
【００８１】
ゲルのチキソトロピー的特質および比較的高い粘性率のために、印および記号を所望どおりに創出することが容易であった。生じた印は、迅速かつ確実に合板へ付着し、約２ｍｍから約１０ｍｍの厚さの比較的厚い沈着を創出した。全ての印は、２４時間を超過する間、明るく輝き、抑えられた照明の中で裸眼にて非常によく見えた。合板基材を、屋外で垂直方向にて放置した。印および記号は、顕著な流れ落ちまたは不鮮明化を呈さなかった。輝いているゲルの液相のうちのいくらかが木材の中に吸収されたことを、観察した。
【００８２】
実施例２−従来の化学発光印付け手段に対するこの化学発光ゲルの性能を定量化するための試験に着手した。活性化剤ゲル１２０グラムの塊を、以前開示した調合に従い調製した。これに液体シュウ酸塩もしくはエステル４０グラムを加えた。成分を徹底的に混合し、それによって輝くゲルを生成した。この輝くゲルを、第一に、ドクターブレードおよびスペーサーバー（ｓｐａｃｅｒ  ｂａｒ）を使用して、湿気のある水平に向けた合板基材に塗布し、約３．５ｍｍのゲルの厚さを創出した。この厚さは、上の実施例１のデバイスを使用する際に期待され得る厚さに近い。ゲルを、１０ｃｍかける１０ｃｍの正方形領域にわたって広げた。広げるプロセルを繰り返し、ゲルを、水平に向けた波形ボール紙の乾燥部分に同じ形状寸法にて創出した。同時に、液体シュウ酸塩もしくはエステルと液体活性化剤との製剤を、液体活性化剤７５グラムと液体シュウ酸塩もしくはエステル２５グラムとを混ぜ合わせることにより調製して、輝く化学発光液を作り出した。化学発光ゲルおよび化学発光液の両方を調整するために使用したシュウ酸塩もしくはエステルおよび活性化剤は、同じ化学ロット（ｃｈｅｍｉｃａｌ  ｌｏｔ）からのものであった。
【００８３】
輝く液体を、１０ｃｍかける１０ｃｍの正方形の領域にわたり、第二の水平に向けた合板基材にブラシでたっぷりと塗布した。同様に、輝く化学発光液を、第二の波形ボール紙の水平に向けた部分に塗布した。次いで、四つの基材の全てを、垂直に近い向きに調整し、ここでは、輝く化学発光液の一部が合板およびボール紙から流出することを、観察した。化学発光ゲルが塗布されていた基材の上には、流れ落ちまたは不鮮明化の形跡が存在しなかった。化学発光ゲルは、基材に関わらず、化学発光液よりも顕著に明るいように見えた。実験用の照度計を使用して、四つの試験サンプルのそれぞれの照度を測定した。それぞれの照度測定に関して、照度計を、輝く基材から１０ｃｍ離して配置した。結果を、表１において見ることが可能であり、グラフ１において図示し得る。
【００８４】
【表１】
2014501921.tif 000003
【００８５】
【化２】
2014501921.tif 000004
実施例３−粘性のある化学発光シュウ酸塩もしくはエステルを調製して、本開示に従う化学発光組成物における第一の反応物として使用した。液体化学発光シュウ酸塩もしくはエステル組成物は、しゅう酸ビス（２，４，５−トリクロロ−６−カルボペントキシフェニル）２３．５重量％、１−メトキシ−９，１０−ビス（フェニルエチレン）アントラセン０．５重量％、安息香酸ブチル６０重量％、およびグリセロールトリベンゾエート１６重量％を含有していた。次いで、この液体シュウ酸塩もしくはエステルを、ワックス、超低分子量ポリエチレンまたは他の適切な添加物と混ぜ合わせて、粘性のある化学発光組成物を形成した。添加物は、化学発光の化学と相溶性があり、かつ化学発光反応の性能を劣化させず、または他に変化させないことが、重要である。シュウ酸塩もしくはエステルが、添加物を劣化させず、添加物の機能性を失わせないこともまた、重要である。
調合１  ＨＰ  ＬＤＰＥ              ６３％
シュウ酸塩もしくはエステル  ３７％
調合２  ＨＰ７３１９                ６７％
シュウ酸塩もしくはエステル  ３３％
調合３  ＨＰ７３１９                ５７％
シュウ酸塩もしくはエステル  ４３％
調合４  ＨＰ  ＬＤＰＥ              ４３％
ＨＰ７３１９                ２１％
シュウ酸塩もしくはエステル  ３６％
【００８６】
上の配合の調製は、第一に、ワックスの融点の約１０℃上でワックスを加熱することを伴った。一つよりも多いワックスを使用した場合には、混合物を最も高い融点の１０℃上で加熱した。ワックスを融解した後、液体シュウ酸塩もしくはエステルを融解したワックスに加えた。アルゴンガス浴下においている間に、混合物を、迅速に撹拌した。シュウ酸塩もしくはエステルは、空気中に存在する水蒸気により劣化され得るので、アルゴンガスを使用して、混合物の中に空気の泡が取り込まれることを回避した。まだアルゴン浴においている間に、混合物を、冷却および凝固させた。生じたシュウ酸塩もしくはエステル／ワックス混合物は溶液ではなく懸濁液であると考えられたが、いずれの場合にせよ、生成物は、意図された用途に関してよく作用した。各固体の一部を様々な基材の上に塗りつけ、それによって印を創出することにより、生じたワックス状固体を、有効性に関して試験した。次いで、以下で説明される活性化剤のような、活性化剤をワックス／シュウ酸塩もしくはエステルの印の頂部の上に塗りつけることにより、印を「活性化した（ａｃｔｉｖａｔｅｄ）」。印は、化学発光の光を即座に作り出し、その後１２時間を超える間明るく輝いた。
【００８７】
粘性のある活性化剤ゲルを、実施例１に従い調合して、本実施例において開示される化学発光組成物の少なくとも一つの第二の反応物として供した。最初に、過酸化水素２．１重量％、Ｈ２Ｏ０．９重量％、、サリチル酸ナトリウム０．００１５重量％、およびクエン酸トリエチル約９７重量％を混ぜ合わせることにより、液体化学発光活性化剤を調製した。実施例１におけるように、Ｗａｃｋｅｒ  Ｃｈｅｍｉｃａｌ  Ｃｏｒｐ．，  Ａｄｒｉａｎ，  Ｍｉｃｈｉｇａｎから入手した、シリコーン処理した焼成シリカ（ＨＤＫ  Ｈ１７）１１重量％を、液体化学発光活性化剤８９重量％と混ぜ合わせ、徹底的に混合して粘性のある化学発光活性化剤ゲルを作り出した。
【００８８】
粘性のある化学発光物質のための様々な分配手段を考案し、上で説明された図１〜図８において詳述した。
【図１】
2014501921.tif 000005
【図２ａ】
2014501921.tif 000006
【図２ｂ】
2014501921.tif 000007
【図３ａ】
2014501921.tif 000008
【図３ｂ】
2014501921.tif 000009
【図４ａ】
2014501921.tif 000010
【図４ｂ】
2014501921.tif 000011
【図４ｃ】
2014501921.tif 000012
【図６】
2014501921.tif 000013
【図７】
2014501921.tif 000014
【図５】
2014501921.tif 000015
【図８】
2014501921.tif 000016
【国際調査報告】
2014501921.tif 000017
2014501921.tif 000018
2014501921.tif 000019
2014501921.tif 000020
2014501921.tif 000021